(57)【特許請求の範囲】
【請求項１】
空気吸入口と空気吐出口を連通させる送風経路の途中にファンモータにより回転駆動して空気吸入口から空気を吸い込むと共にこの吸い込んだ空気を空気吐出口から吹き出す遠心ファンを備え、該遠心ファンを、回転軸方向の両側の側面部を構成するエンドプレートと、これら両エンドプレート間に回転軸周りに複数枚架設されて当該遠心ファンの周面部を構成する羽根とで構成し、該遠心ファンの一方のエンドプレートに第一吸込口を形成すると共に他方のエンドプレートに第二吸込口を形成し、送風経路における遠心ファンよりも上流側を、前記遠心ファンの第一吸込口と空気吸入口とを連通させる第一空気流路と、第二吸込口と空気吸入口とを連通させる第二空気流路とで構成し、前記空気吸入口に連通する主吸込孔部と副吸込孔部を形成すると共に前記遠心ファンを収納する隔壁を形成し、前記第一空気流路は前記主吸込孔部と遠心ファンの第一吸込口とを連通させ、前記第二空気流路は前記副吸込孔部を前記隔壁の外側流路を介して第二吸込口に連通させるものであり、前記遠心ファンの複数枚の羽根間に前記第一吸込口及び第二吸込口から吸い込んだ空気を当該遠心ファンの径方向外側に向かって吹き出す吹出口を形成し、前記第一空気流路及び第二空気流路から遠心ファンに流入した空気が、前記吹出口を通って吐出されることを特徴とする空気調和機。
【請求項２】
前記送風経路の遠心ファンよりも下流側に静電霧化装置を配設して成ることを特徴とする請求項１記載の空気調和機。
【請求項３】
清浄化フィルタを備えて当該清浄化フィルタにて清浄化された空気中で前記静電霧化装置による静電霧化が行われることを特徴とする請求項２に記載の空気調和機。
【請求項４】
前記送風経路における遠心ファンよりも上流側が、上流端を一の空気吸入口に接続し且つ途中で第一空気流路と第二空気流路に分岐した上流側流路で構成されることを特徴とする請求項１乃至３のいずれか１項に記載の空気調和機。
【請求項５】
前記第二空気流路の途中に発熱部品を配設したことを特徴とする請求項１乃至４に記載の空気調和機。
【請求項６】
前記第一吸込口を前記一方のエンドプレートの中央に形成すると共に、前記他方のエンドプレートの中心部に駆動軸接続部を設け、該駆動軸接続部に前記他方のエンドプレート側に配設したファンモータの駆動軸を接続し、前記他方のエンドプレートの駆動軸接続部よりも径方向外側に位置する外周部に前記第二吸込口を形成して成ることを特徴とする請求項１乃至５のいずれか１項に記載の空気調和機。
【請求項７】
空気調和機内に前記遠心ファンの回転軸方向から見て矩形状の空間を形成し、該空間を隔壁で仕切ることにより、遠心ファンの回転軸方向から見て、当該矩形状の空間の三隅部で構成される外側流路と、それ以外の空間で構成される渦室とを形成し、該渦室に遠心ファンを配設し、前記外側流路で前記第二空気流路の一部を構成することを特徴とする請求項１乃至６のいずれか１項に記載の空気調和機。
【請求項８】
前記静電霧化装置は、水溜部と、水溜部から水を搬送する多孔質部材によって形成された搬送部と、水溜部から搬送部の搬送方向の端に至る経路中の水に電圧を印加する印加電極と、を備えて、電圧印加部により前記印加電極に高電圧を印加することで静電霧化がなされることを特徴とする請求項２又は請求項３に記載の空気調和機。
【請求項９】
前記静電霧化装置は、接地された電極を備えたことを特徴とする請求項８に記載の空気調和機。
【発明の詳細な説明】
【技術分野】
【０００１】
本発明は室内空気の脱臭等を行う空気調和機に関する。
【背景技術】
【０００２】
従来から脱臭、集塵等の室内空気の清浄化や、室内空気の除湿、冷房等の空気調和を行う空気調和機が知られており、この空気調和機は空気吸入口と空気吐出口を連通させる送風経路の途中に設けたファンにより空気吸入口から空気を吸い込むと共にこの吸い込んだ空気を空気吐出口から吹き出すものであって、これにより例えば送風経路内に吸い込んだ空気を空気吸入口に設けた清浄化フィルタにより清浄化する等して室内空気を調和していた。
【０００３】
この種の空気調和機のファンとしては軸方向の片側から吸い込んだ空気を径方向外側に吹き出すシロッコファン等の遠心ファンを用いたものがあり、この空気調和機にあっては遠心ファンの中央に形成した吸込口と前記空気吸込口、及び遠心ファンの外周面に形成した吹出口と前記空気吐出口を、夫々送風経路にて連通させている。
【０００４】
しかし上記空気調和機にあっては遠心ファンの軸方向における一方の側面部の中央からのみ遠心ファンへ空気が流入するものであるので遠心ファンへの空気供給量が少なく、このため遠心ファンによる送風の効率が悪くて送風量が少なく、室内全域にまんべんなく調和空気を循環させることができないという問題があった。このため従来では送風能力の高い大型の遠心ファンを送風経路に配設していたのだが、この場合空気調和機が大型化してしまい、また大きな騒音も発生してしまい、さらには消費電力が大きいという問題が生じてしまう。また空気調和機には前記遠心ファンを駆動するためのファンモータや、該モータの駆動を制御する制御基板等の発熱部品を内装しており、このようなファンモータや制御基板はファンの運転により発熱する場合があって冷却する必要がある。ここで前記発熱部品を冷却する方法としては、例えば送風経路の流路中に発熱部品を設けて送風経路を流れる空気により発熱部品を冷却すること等が考えられるが、この場合送風経路の途中に流路抵抗となる発熱部品が配設されるためにファンの送風量が低下するといった問題が生じる。
【特許文献１】特開平１１−５１４２９号公報
【発明の開示】
【発明が解決しようとする課題】
【０００５】
本発明は上記従来の問題点に鑑みて発明したものであって、遠心ファンにより効率良く空気を送風できて、室内全域にまんべんなく調和空気を循環させることができ、しかも静音化、小型化、省エネ化が図れ、さらにはファンモータや制御基板等の発熱部品を送風量を落とすことなく冷却できる空気調和機を提供することを課題とする。
【課題を解決するための手段】
【０００６】
上記課題を解決するために本発明に係る空気調和機は、空気吸入口２と空気吐出口３を連通させる送風経路４の途中にファンモータ２５により回転駆動して空気吸入口２から空気を吸い込むと共にこの吸い込んだ空気を空気吐出口３から吹き出す遠心ファン５を備え、該遠心ファン５を、回転軸方向の両側の側面部を構成するエンドプレート２０ａ、２０ｂと、これら両エンドプレート２０ａ、２０間に回転軸周りに複数枚架設されて当該遠心ファン５の周面部を構成する羽根２１とで構成し、該遠心ファン５の一方のエンドプレート２０ａに第一吸込口２２を形成すると共に他方のエンドプレート２０ｂに第二吸込口２４を形成し、送風経路４における遠心ファン５よりも上流側を、前記遠心ファン５の第一吸込口２２と空気吸入口２とを連通させる第一空気流路３１ａと、第二吸込口２４と空気吸入口２とを連通させる第二空気流路３１ｂとで構成し、前記空気吸入口２に連通する主吸込孔部２９と副吸込孔部３２を形成すると共に前記遠心ファン５を収納する隔壁１７を形成し、前記第一空気流路３１ａは前記主吸込孔部２９と遠心ファン５の第一吸込口２２とを連通させ、前記第二空気流路３１ｂは前記副吸込孔部３２を前記隔壁１７の外側流路１９を介して第二吸込口２４に連通させるものであり、前記遠心ファン５の複数枚の羽根２１間に前記第一吸込口２２及び第二吸込口２４から吸い込んだ空気を当該遠心ファン５の径方向外側に向かって吹き出す吹出口４０を形成し、前記第一空気流路３１ａ及び第二空気流路３２ｂから遠心ファン５に流入した空気が、前記吹出口４０を通って吐出されることを特徴とする。
【０００７】
このように遠心ファン５に第一吸込口２２及び第二吸込口２４を形成し、送風経路４における遠心ファン５よりも上流側を、前記遠心ファン５の第一吸込口２２と空気吸入口２とを連通させる第一空気流路３１ａと、第二吸込口２４と空気吸入口２とを連通させる第二空気流路３１ｂとで構成することで、遠心ファン５への空気供給量を増大させることができ、これにより効率良く遠心ファン５で空気を送風できて送風量を増大させることができ、この場合、小型で送風能力が低い遠心ファン５を用いて室内全域にまんべんなく調和空気を循環させることができて、空気調和機１の小型化、静音化、省エネ化が図れ、さらには例えば第二空気流路３１ｂの途中にファンモータ２５や制御基板２７等の運転時に発熱する冷却が必要な発熱部品を配設することで、発熱部品をファンモータ２５の送風により冷却でき、しかもこの場合、第一空気流路３１ａには流路抵抗となるものがないため第一吸込口２２から遠心ファン５に供給される空気量が低下しない。
【０００８】
また、前記送風経路４の遠心ファン５よりも下流側に静電霧化装置２８を配設することも好ましい。
また、清浄化フィルタ１１を備えて当該清浄化フィルタ１１で清浄化された空気中で前記静電霧化装置２８による静電霧化が行われることが好ましい。
また、前記静電霧化装置２８は、水溜部３３と、水溜部３３から水を搬送する多孔質部材によって形成された搬送部３７と、水溜部３３から搬送部３７の搬送方向の端に至る経路中の水に電圧を印加する印加電極３６と、を備えて、電圧印加部４２により前記印加電極３６に高電圧を印加することで静電霧化がなされるものであることが好ましい。
また、前記静電霧化装置２８は、接地された電極３５を備えることが好ましい。
【０００９】
静電霧化装置２８を送風経路４に配設することで、静電霧化装置２８の静電霧化によって生じたナノメータサイズの帯電ミストにより送風経路４を流れる空気の脱臭を行うことができ、しかも上記遠心ファン５から送られてきた送風量の大きな送風に乗せて室内全域に送ることができ、これにより帯電ミストが有する活性種により室内空間の臭気成分、特に壁やカーテン等に付着した臭気成分を除去できる。
【００１０】
また、前記送風経路４における遠心ファン５よりも上流側が、上流端を一の空気吸入口２に接続し且つ途中で第一空気流路３１ａと第二空気流路３１ｂに分岐した上流側流路３０で構成されることが好ましい。
また、前記第二空気流路３１ｂの途中に発熱部品を配設することが好ましい。
また、前記第一吸込口２２を前記一方のエンドプレート２０ａの中央に形成すると共に、前記他方のエンドプレート２０ｂの中心部に駆動軸接続部２３を設け、該駆動軸接続部２３に前記他方のエンドプレート２０ｂ側に配設したファンモータ２５の駆動軸２５ｂを接続し、前記他方のエンドプレート２０ｂの駆動軸接続部２３よりも径方向外側に位置する外周部に前記第二吸込口２４を形成することも好ましい。
【００１１】
遠心ファン５の他方のエンドプレート２０ｂの駆動軸接続部２３よりも径方向外側に位置する外周部に第二吸込口２４を形成することで、他方のエンドプレート２０ｂにおいて利用されていない外周部を利用して遠心ファン５への空気供給量を増大でき、しかもこの場合、遠心ファン５の一方のエンドプレート２０ａの中央に第一吸込口２２を形成してあるので第一吸込口２２から遠心ファン５に流入した空気は従来同様スムーズに径方向外側に誘導されて吹出口４０から吐出されることとなる。
また、空気調和機１内に前記遠心ファン５の回転軸方向から見て矩形状の空間１６を形成し、該空間１６を隔壁１７で仕切ることにより、遠心ファン５の回転軸方向から見て、当該矩形状の空間の三隅部で構成される外側流路１９と、それ以外の空間で構成される渦室１８とを形成し、該渦室に遠心ファン５を配設し、前記外側流路１９で前記第二空気流路３１ｂの一部を構成することが好ましい。
【発明の効果】
【００１２】
本発明では、遠心ファンにより効率良く空気を送風できて、室内全域にまんべんなく調和空気を循環させることができ、しかも静音化、小型化、省エネ化が図れ、さらにはファンモータや制御基板等の発熱部品を送風量を落とすことなく冷却できる。
【発明を実施するための最良の形態】
【００１３】
以下、本発明を添付図面に示す実施形態の一例を説明する。なお以下の説明では器体８の前面を正面と規定して説明する。
【００１４】
図１〜９に示す本実施形態の空気調和機１は、空気吸入口２と空気吐出口３とを連通させる送風経路４の途中に配設した遠心ファンによって空気吸入口２から室内空気を吸い込み、この吸い込んだ室内空気を脱臭すると共に室内空気に含まれる塵や埃等を捕集した後、空気吐出口３から吐出するものであって、空気清浄機として利用されるものである。
【００１５】
図２に示すように空気調和機１は床に載置されるベース６と、ベース６上に設けた本体部７にて構成されており、本体部７の外殻をなす縦長の器体８の天壁部及び該器体８の前壁部を構成する前カバー３９の上部には空気吐出口３を形成している。また図３、図４に示すように器体８の後面部の下部には前方に凹む矩形状の凹部９を形成してあり、該凹部９により器体８の後面部の下部に形成された開口４３には該開口４３を覆うように上記空気吸入口２を有する吸込グリル１０を着脱自在に取り付けている。
【００１６】
凹部９内には空気吸入口２を内面側から覆うように清浄化フィルタ１１を配設してあり、該清浄化フィルタ１１は塵や埃を捕捉する集塵フィルタと臭い成分を吸着する活性炭フィルタとの２層で構成されている。
【００１７】
図５に示すように器体８の内部空間は後部の左右方向における一方の端部（図示例では右側端部）を除いて器体８内に配設した仕切り板１２によって上下に仕切られており、これにより器体８の内部には仕切り板１２よりも上位の前記空気吐出口３と連通する上位空間１３と、仕切り板１２よりも下位の下位空間１４とが形成され、また仕切り板１２の後部と器体８の側壁部との間に平面視で器体８の内部空間における後部の左右方向における一方の端部に位置する開口４４が形成される。
【００１８】
上記凹部９の奥壁部９ａの前方にある下位空間１４は正面視で矩形状の空間であって、図１に示すように前側のファンモータ収納空間１５と後側のファン収納空間１６とからなり、ファン収納空間１６は更に図６に示すように正面視で略Ｃ字状の隔壁１７により渦室１８と渦室１８を除く部分である外側流路１９とに仕切られている。
【００１９】
上記略Ｃ字状の隔壁１７は、左右方向において前記開口４４とは反対側に位置して開口４４側とは反対側に突となる半円分の弧の長さを有する半円弧状隔壁部１７ａと、左右方向において前記開口４４側に位置して開口４４側の斜め下方に突となる１／４円分の弧の長さを有する円弧状隔壁部１７ｂと、器体８の底壁部における前記円弧状隔壁部１７ｂと半円弧状隔壁部１７ａの間の部分と、器体８の左右方向における開口４４側の側壁部とで構成されている。ここで半円弧状隔壁部１７ａはその上端を前記仕切り板１２の後部の開口４４側の端に一体に接続すると共にその下端を器体８の底壁部に接続してあり、また円弧状隔壁１７ｂはその上端を器体８の左右方向における開口４４側の側壁部に接続すると共にその下端を器体８の底壁部に接続してあり、半円弧状隔壁部１７ａ及び円弧状隔壁部１７ｂは共に凹部９の奥壁部９ａから前方に突設してあるものとする。上記により隔壁１７の内側に、正面視略円状のファン収納部１８ａと、ファン収納部１８ａと前記仕切り板１２の開口４４とを連通させる連通流路部１８ｂと、で構成された渦室１８が形成されることとなる。
【００２０】
また上記半円弧状隔壁部１７ａ及び円弧状隔壁部１７ｂの夫々を介して渦室１８の外側にある外側流路１９は正面視で矩形状のファン収納空間１６の四隅部の内、左右方向における開口４４側且つ上側の一隅部を除く三隅部の夫々に形成された流路１９ａ、１９ｂ、１９ｃからなり、左右方向における開口４４とは反対側且つ上側の隅部に形成された流路１９ａと、左右方向における開口４４とは反対側且つ下側の隅部に形成された流路１９ｂは連通している。
【００２１】
上記渦室１８のファン収納部１８ａには遠心ファンとして軸方向を前後方向とする略円筒状のシロッコファン５を回動自在に配設している。隔壁１７によって周面部が囲まれたシロッコファン５は軸方向における両側の側面部を構成するエンドプレート２０ａ、２０ｂと、両エンドプレート２０ａ、２０ｂ間に回転軸回りに間隔を介して架設したシロッコファン５の周面部を構成する複数枚の羽根２１とで構成されており、両エンドプレート２０の内、後側にある一方のエンドプレート２０ａの中央には第一吸込口としてシロッコファン５の回転軸方向に貫通する円形の主吸込口２２を形成してある。また前側にある他方のエンドプレート２０ｂの中心部には駆動軸接続部となる軸方向に貫通する駆動軸接続孔部２３を形成してあり、エンドプレート２０ｂの駆動軸接続孔部２３よりも径方向外側に位置する外周部には第二吸込口として回転軸方向に貫通する副吸込口２４を穿設している。ここで上記主吸込口２２はシロッコファン５の周面部よりも径方向における内方に形成されており、また上記副吸込口２４は回転軸廻りに間隔を介して配した複数の孔２４ａからなり、これら複数の孔２４ａは羽根２１よりも径方向における内方に形成されているものとする。
【００２２】
上記外側流路１９及び渦室１８に連通するファンモータ収納空間１５はファン収納空間１６のように仕切られておらず、このファンモータ収納空間１５には図１に示すようにモータ本体２５ａと、モータ本体２５ａによって回転駆動するモータ本体２５ａから後方に突出した駆動軸２５ｂと、からなるファンモータ２５を配設している。ファンモータ２５の駆動軸２５ｂは渦室１８のファン収納部１８ａに至るまで突出しており、該駆動軸２５ｂの突端部は前記シロッコファン５の駆動軸接続孔部２３に挿入されてナット２６により固着されている。またファンモータ収納空間１５にはファンモータ２５よりも上位にファンモータ２５や後述する静電霧化装置２８の運転を制御する制御基板２７を配設している。ここでモータ本体２５ａとシロッコファン５の間、及び制御基板２７とシロッコファン５の間には夫々ファンモータ収納空間１５と副吸込口２４とを連通させる隙間が形成されているものとする。
【００２３】
そして図３に示すように前述した矩形状の凹部９の奥壁部９ａにおけるシロッコファン５の主吸込口２２に対応する部分である中央には複数の孔で構成された円形の主吸込孔部２９を穿設してあり、これにより凹部９と主吸込孔部２９とで構成された第一空気流路となる主空気流路３１ａが形成され、該主空気流路３１ａにより空気吸入口２とシロッコファン５の主吸込口２２とが連通することとなる。また図３に示すように凹部９の奥壁部９ａにおける矩形状のファン収納空間１６の三隅部の夫々に形成された流路１９ａ、１９ｂ、１９ｃからなる外側流路１９に対応する部分である下端部の左右方向における両端部と、上端部の左右方向における開口４４とは反対側の半部の計３箇所の夫々には複数のスリット孔からなる副吸込孔部３２を穿設してあり、これにより凹部９と副吸込孔部３２と外側流路１９とで構成された第二空気流路となる副空気流路３１ｂが形成され、該副空気流路３１ｂにより空気吸入口２とシロッコファン５の副吸込口２４とが連通することとなる。そして本実施形態ではシロッコファン５よりも上流側の上流側流路３０とシロッコファン５よりも下流側の下流側流路３１とで構成された送風経路４の内、上流側流路３０を上記主空気流路３１ａと副空気流路３１ｂとで構成してあり、下流側流路３１を上記連通流路部１８ｂと上位空間１３とで構成してある。
【００２４】
今、前述したファンモータ２５を運転しシロッコファン５を回転駆動した場合、室内空気は空気吸入口２から清浄化フィルタ１１を通り、該清浄化フィルタ１１にて清浄化された後、凹部９内に流入する。そしてこの凹部９内に流入した空気の内、一部は図１の矢印イに示すように主吸込孔部２９から渦室１８のファン収納部１８ａに流入し、この後シロッコファン５の主吸込口２２からシロッコファン５内に流入し、また他部は図１及び図６の矢印ロに示すように副吸込孔部３２から外側流路１９に流入し、この後外側流路１９を通ってファンモータ収納空間１５に流入し、次いで渦室１８のファン収納部１８ａに流入してシロッコファン５の副吸込口２４からシロッコファン５内に流入する。そしてこの主吸込口２２及び副吸込口２４から別々にシロッコファン５に流入した空気の全部はシロッコファン５の回転軸回りに隣接する羽根２１間に形成された吹出口４０を通って連通流路部１８ｂを介して上位空間１３に流入し、この後空気吐出口３より室内に吐出される。
【００２５】
上記のように本実施形態の空気調和機１は、空気吸入口２と主吸込口２２とを主空気流路３１ａにより連通させてあるので、従来と同様にシロッコファン５の主吸込口２２から吸い込んだ空気をシロッコファン５の径方向外側に向かって吹き出すことができるのは勿論、加えてシロッコファン５には上記軸方向における一方の側面部（エンドプレート２０ａ）の中央に設けてある主吸込口２２とは別に副吸込口２４を設けて、この副吸込口２４と空気吸入口２とを副空気流路３１ｂにて連通させているので、シロッコファン５への空気供給量が増加し、これによりシロッコファン５で効率良く空気を送風できて送風量を増大させることができ、従って小型で送風能力が低いシロッコファン５を用いて室内全域にまんべんなく調和空気を循環させることができて、空気調和機１の小型化、静音化、省エネ化が図れる。さらにシロッコファン５への空気供給量を増大させるために設けた上記副空気流路３１ｂには冷却が必要となる部品であるファンモータ２５及び制御基板２７を配設してあるので、運転により発熱したファンモータ２５及び制御基板２７を副空気流路３１ｂを通る空気により冷却することができ、ファンモータ２５及び制御基板２７の故障を防止でき、しかもこの場合、主空気流路３１ａには流路抵抗となるものが配設されておらず、主空気流路１１からシロッコファン５に供給される空気供給量が低下することがない。さらに本実施形態ではシロッコファン５の軸方向における一方の側面部（エンドプレート２０ａ）の中央に主吸込口２２を形成し、他方の側面部（エンドプレート２０ｂ）の中心部には駆動軸接続孔部２３を設け、シロッコファン５の他方の側面部の駆動軸接続孔部２３が設けられていない駆動軸接続孔部２３よりも径方向外側に位置する外周部に副吸込口２４を形成してあるので、従来同様主吸込口２２からシロッコファン５内に流入した空気はスムーズに径方向外側に誘導されて吐出されることとなる。また本実施形態では前述したように外側流路１９を構成する流路１９ａ、１９ｂ、１９ｃを正面視矩形状のファン収納空間１６において渦室１８を除くデッドスペースとなる三隅部に夫々形成してあるので空気調和機１を更に小型化できる。なお本実施形態では上流側流路３０の上流側端部で異なる二流路に分岐して、この分岐点よりも下流側を主空気流路３１ａと副空気流路３１ｂとで構成した例を示したが、器体８の異なる位置に夫々空気吸入口２を設け、送風経路４の上流側流路３０を、一方の空気吸入口２と主吸込口２２とを連通させる主空気流路と他方の空気吸入口２と副吸込口とを連通させる副空気流路とで構成しても良いものとする。
【００２６】
また本実施形態の空気調和機１には図７等に示すように上記送風経路４のシロッコファン５よりも下流側、具体的には上位空間１３の下部に静電霧化装置２８を配設してあり、該静電霧化装置２８により空気吸入口２より流入した室内空気の脱臭効果を高めると共に室内の壁やカーテン等に付着した臭気成分を除去できるようにしている。
【００２７】
図８に示す静電霧化装置２８は霧化させることになる水を収容したカップ状の水溜部３３と、円筒状で且つ周面に通風孔が開口するホルダー３４と、該ホルダー３４の上部に配された対向電極３５と、ホルダー３４の下部に嵌め込まれて水に対する電圧印加を担う印加電極３６と、この印加電極３６によって保持されている複数本の棒状の搬送部３７とで構成されており、静電霧化装置２８の下部に設けた上記水溜部３３は上端部が上記ホルダー３４の下部に装着されている印加電極３６に着脱自在に取り付けられている。
【００２８】
対向電極３５と印加電極３６は共にカーボンのような導電材を混入した合成樹脂やＳＵＳのような金属で形成されることで導電性を有しているもので、ホルダー３４の上部に被せられる対向電極３５は接地され、また印加電極３６は器体１に内装した電圧印加部４２となる高電圧発生源に接続されている。
【００２９】
搬送部３７は多孔質セラミックで形成されてその上端が針状に尖ったもので、これら搬送部３７は上部が印加電極３６よりも上方に突出し、下部は下方に突出して上記水溜部３３内に入れられた水と接触している。
【００３０】
図８中３８は印加電極３６から下方に突出している円筒状のスカートで、上記複数本の搬送部３７の外側を囲んでおり、その下端は搬送部３７の下端よりも下方に位置している。印加電極３６における該スカート３８は水溜部３３内に入れられた水と接触することで水に高電圧を印加すると同時にセラミックで形成されている搬送部３７の保護を行うものである。ここでスカート２２の周方向の一部にはスカート２２の上下方向全長にわたるスリットを設けているものとする。
【００３１】
ホルダー３４の上面開口を閉じるように装着された対向電極３５は、図７に示すように中央に開口部４１を有するとともに、この開口部４１の縁は上方から見た時、前記複数本の搬送部３７の上端の針状部を中心とする複数の同一径の円弧を他の円弧で滑らかにつないだものとなっている。対向電極３５を接地し、印加電極３６に高電圧発生源を接続するとともに、搬送部３７が毛細管現象で水を吸い上げている時、搬送部３７の上端の針状部が印加電極３６側の実質的な電極として機能すると同時に、対向電極３５の上記円弧が実質的な電極として機能するものである。
【００３２】
そして上記印加電極３６のスカートに水を接触させると同時に、搬送部３７に毛細管現象で水を吸い上げさせ、さらに電圧印加部４２により対向電極３５及び印加電極３６間に電圧を印加した時、この電圧が水にレイリー分裂を起こさせることができる高電圧であれば、搬送部３７の上端の針状部に達した水はここでレイリー分裂を起こしてナノメータサイズの粒子径の霧化を生じさせる静電霧化がなされるようになっており、これにより静電霧化装置２８から送風経路４にナノメータサイズの帯電ミストが吹き出されることとなる。
【００３３】
上記のように送風経路４の下流側に静電霧化装置２８を配設することで、空気吸入口２から吸い込まれた室内空気を静電霧化で生じたナノメータサイズの帯電ミストにより脱臭することができ、さらにはこの帯電ミストをシロッコファン５による送風に乗せて、帯電ミストを含んだ室内空気を空気吐出口３から室内に吐出することができ、これにより帯電ミストが有している活性種により室内空気中の臭気成分、特に室内壁面やカーテン等へ付着した臭気成分物を除去することができる。
【００３４】
なお本実施形態では上記したように空気調和機を室内空気の脱臭及び室内空気に含まれる塵や埃を捕集する空気調和機１としたが、これに限定されず、例えば熱交換器を備えて冷房や除湿を行う空気調和機に上記技術を適用しても良いものとする。
【図面の簡単な説明】
【００３５】
【図１】本発明の実施の形態の一例を示し、図は空器調和機の側断面図である。
【図２】同上の空気調和機の正面斜視図である。
【図３】同上の空気調和機の吸込グリルを取り外した背面斜視図である。
【図４】同上の空気調和機の背面斜視図である。
【図５】同上の空気調和機の前面部の図示を省略した正面斜視図である。
【図６】同上の第２空気流路を通る空気の流れを示すものであり、図は空気調和機の前面側の部品の図示を省略した正面斜視図である。
【図７】同上の前カバーを取り外した状態を示す空気調和機の正面斜視図である。
【図８】同上の静電霧化装置を示す側断面図である。
【図９】同上の空気調和機の正面図である。
【符号の説明】
【００３６】
１  空気調和機
２  空気吸入口
３  空気吐出口
４  送風経路
５  遠心ファン
２２  第一吸込口
２４  第二吸込口
２５  ファンモータ
２５ｂ  駆動軸
２８  静電霧化装置
３１ａ  第一空気流路
３１ｂ  第二空気流路
３３  水溜部
３５  対向電極
３６  印加電極
３７  搬送部
４０  吹出口
４２  電圧印加部
【図１】
0004670250.tif 000002
【図２】
0004670250.tif 000003
【図３】
0004670250.tif 000004
【図４】
0004670250.tif 000005
【図５】
0004670250.tif 000006
【図６】
0004670250.tif 000007
【図７】
0004670250.tif 000008
【図８】
0004670250.tif 000009
【図９】
0004670250.tif 000010